(57)【要約】【課題】廃棄物から化成品を製造するにあたり、廃棄物中のバイオマス系のごみの量を評価すること。【解決手段】化成品中の炭素１４の含有率を取得する化成品中含有率取得部１１１と、化成品中含有率取得部１１１が取得した化成品中の炭素１４の含有率に基づいて、廃棄物中のバイオマス系のごみの量を評価するバイオマス量評価部１１３とを備える。【選択図】図１
2014166622.tif 000002
【特許請求の範囲】
【請求項１】
廃棄物から化成品を製造するにあたり、前記廃棄物中のバイオマス系のごみの量を評価するバイオマス量評価装置であって、
前記化成品中の炭素１４の含有率を取得する化成品中含有率取得部と、
前記化成品中含有率取得部が取得した前記化成品中の炭素１４の含有率に基づいて、前記廃棄物中のバイオマス系のごみの量を評価するバイオマス量評価部と
を備えるバイオマス量評価装置。
【請求項２】
前記化成品の製造工程において、前記廃棄物からガスを得るにあたり前記廃棄物に加えられた助燃剤中の炭素の含有率を取得する助燃剤中含有率取得部
を更に備え、
前記バイオマス量評価部は、前記助燃剤中含有率取得部が取得した前記助燃剤中の炭素の含有率に更に基づいて、前記廃棄物中のバイオマス系のごみの量を評価する
請求項１に記載のバイオマス量評価装置。
【請求項３】
前記バイオマス量評価部が評価した前記廃棄物中のバイオマス系のごみの量に基づいて、前記廃棄物の回収に対する対価を算出する回収対価算出部
を更に備える請求項１又は２に記載のバイオマス量評価装置。
【請求項４】
前記バイオマス量評価部が評価した前記廃棄物中のバイオマス系のごみの量に基づいて、前記化成品の対価を算出する化成品対価算出部
を更に備える請求項１から３のいずれか一項に記載のバイオマス量評価装置。
【請求項５】
廃棄物から化成品を製造するにあたり、前記廃棄物中のバイオマス系のごみの量を評価するバイオマス量評価方法であって、
前記化成品中の炭素１４の含有率を取得する化成品中含有率取得段階と、
前記化成品中含有率取得段階において取得された前記化成品中の炭素１４の含有率に基づいて、前記廃棄物中のバイオマス系のごみの量を評価するバイオマス量評価段階と
を備えるバイオマス量評価方法。
【請求項６】
廃棄物から化成品を製造するにあたり、前記廃棄物中のバイオマス系のごみの量を評価するバイオマス量評価装置として、コンピュータを機能させるプログラムであって、
前記コンピュータを、
前記化成品中の炭素１４の含有率を取得する化成品中含有率取得部、
前記化成品中含有率取得部が取得した前記化成品中の炭素１４の含有率に基づいて、前記廃棄物中のバイオマス系のごみの量を評価するバイオマス量評価部
として機能させるプログラム。
【請求項７】
廃棄物から化成品を製造するにあたり、前記廃棄物中のバイオマス系のごみの量を評価するバイオマス量評価装置として、コンピュータを機能させるプログラムを記録した記録媒体であって、
前記コンピュータを、
前記化成品中の炭素１４の含有率を取得する化成品中含有率取得部、
前記化成品中含有率取得部が取得した前記化成品中の炭素１４の含有率に基づいて、前記廃棄物中のバイオマス系のごみの量を評価するバイオマス量評価部
として機能させるプログラムを記録した記録媒体。
【発明の詳細な説明】
【技術分野】
【０００１】
本発明は、バイオマス量評価装置、バイオマス量評価方法、プログラム及び記録媒体に関する。特に本発明は、廃棄物から化成品を製造するにあたり、廃棄物中のバイオマス系のごみの量を評価するバイオマス量評価装置、バイオマス量評価方法、当該バイオマス量評価装置としてコンピュータを機能させるプログラム、並びに当該プログラムを記録した記録媒体に関する。
【背景技術】
【０００２】
液体シンチレーションカウンタは、通常は液体状又は液体に抽出した測定試料を液体シンチレーターと混合し、低エネルギーのβ線やα線を測定する放射線検出器の一種である。液体シンチレーションカウンタは、トリチウム、炭素１４等の測定に適している。
【０００３】
このような背景に関連する技術としては、様々なものが知られている（例えば、非特許文献１〜３参照。）。
【０００４】
例えば、非特許文献１には、バイオディーゼル燃料をカラムクロマトグラフで精製し、液体シンチレーション測定によって燃料中の炭素１４を測定することが記載されている。
【０００５】
また、例えば、非特許文献２には、化成品中の炭素１４濃度は、液体シンチレーションカウンタと加速器質量分析装置により求めることができることが記載されている。
【０００６】
また、例えば、非特許文献３には、対象をバイオエタノールガソリンに限定し、炭素１４含有量を簡易な濃縮操作だけで直接液体シンチレーション測定することが記載されている。
【先行技術文献】
【非特許文献】
【０００７】
【非特許文献１】斎藤  正明、「液体シンチレーションカウンタによるバイオディーゼル燃料の放射性炭素測定」、Ｒａｄｉｏｉｓｏｔｏｐｅｓ、日本アイソトープ協会、平成２１年７月１５日、Ｖｏｌ．５８（７）、ｐ．４５５−４６０
【非特許文献２】国岡  正雄、「加速器質量分析によるバイオマス炭素１４の含有率の測定方法」、Ｒａｄｉｏｉｓｏｔｏｐｅｓ、日本アイソトープ協会、平成２１年１１月１５日、Ｖｏｌ．５８（１１）、ｐ．７６７−７７９
【非特許文献３】斎藤  正明、外２名、「天然放射性炭素Ｃ−１４を用いたバイオ燃料の由来判別技術」、研究報告、地方独立行政法人東京都産業技術研究センター、平成２１年１２月２２日、第４号、ｐ．１６−１９
【発明の概要】
【発明が解決しようとする課題】
【０００８】
ところで、近年、エタノール等の化成品は、廃棄物を原料として製造されることがある。このようなエタノールの価値は、原料となった廃棄物中のバイオマス系のごみの量によって変わることがある。そのため、エタノールの価値を適正に評価するには、エタノールの原料となった廃棄物中のバイオマス系のごみの量を適正に評価する必要がある。
【０００９】
廃棄物は、固体の物が多く、液体シンチレーションカウンタをそのまま用いて炭素１４の量を測定することができない。また、清掃工場に運ばれる廃棄物は、種類や量が様々であり、不均一性が極めて高い。したがって、サンプリングした場所や時間でのバイオマス系のごみの比率のばらつきも非常に大きくなってしまう。
【００１０】
また、固形物中の炭素１４の量を測定する方法としては、グラファイトに変換した後に測定する方法や、加速器を用いる方法もあるが、前処理が必要であり、設備がとても大きく高価であるため適用しづらい。加えて、オンラインの計測は、困難である。
【００１１】
以上より、液体シンチレーションカウンタをはじめとする従来の測定方法によって、廃棄物中のバイオマス系のごみの量を適正に評価することは難しい。
【課題を解決するための手段】
【００１２】
上記課題を解決するために、本発明の第１の形態によると、廃棄物から化成品を製造するにあたり、廃棄物中のバイオマス系のごみの量を評価するバイオマス量評価装置であって、化成品中の炭素１４の含有率を取得する化成品中含有率取得部と、化成品中含有率取得部が取得した化成品中の炭素１４の含有率に基づいて、廃棄物中のバイオマス系のごみの量を評価するバイオマス量評価部とを備える。
【００１３】
化成品の製造工程において、廃棄物からガスを得るにあたり廃棄物に加えられた助燃剤中の炭素の含有率を取得する助燃剤中含有率取得部を更に備え、バイオマス量評価部は、助燃剤中含有率評価部が取得した助燃剤中の炭素の含有率に更に基づいて、廃棄物中のバイオマス系のごみの量を評価してよい。
【００１４】
バイオマス量評価部が評価した廃棄物中のバイオマス系のごみの量に基づいて、廃棄物の回収に対する対価を算出する回収対価算出部を更に備えてよい。
【００１５】
バイオマス量評価部が評価した廃棄物中のバイオマス系のごみの量に基づいて、化成品の対価を算出する化成品対価算出部を更に備えてよい。
【００１６】
本発明の第２の形態によると、廃棄物から化成品を製造するにあたり、廃棄物中のバイオマス系のごみの量を評価するバイオマス量評価方法であって、化成品中の炭素１４の含有率を取得する化成品中含有率取得段階と、化成品中含有率取得段階において取得された化成品中の炭素１４の含有率に基づいて、廃棄物中のバイオマス系のごみの量を評価するバイオマス量評価段階とを備える。
【００１７】
本発明の第３の形態によると、廃棄物から化成品を製造するにあたり、廃棄物中のバイオマス系のごみの量を評価するバイオマス量評価装置として、コンピュータを機能させるプログラムであって、コンピュータを、化成品中の炭素１４の含有率を取得する化成品中含有率取得部、化成品中含有率取得部が取得した化成品中の炭素１４の含有率に基づいて、廃棄物中のバイオマス系のごみの量を評価するバイオマス量評価部として機能させる。
【００１８】
本発明の第４の形態によると、廃棄物から化成品を製造するにあたり、廃棄物中のバイオマス系のごみの量を評価するバイオマス量評価装置として、コンピュータを機能させるプログラムを記録した記録媒体であって、コンピュータを、化成品中の炭素１４の含有率を取得する化成品中含有率取得部、化成品中含有率取得部が取得した化成品中の炭素１４の含有率に基づいて、廃棄物中のバイオマス系のごみの量を評価するバイオマス量評価部として機能させるプログラムを記録した。
【００１９】
なお、上記の発明の概要は、本発明の必要な特徴の全てを列挙したものではない。また、これらの特徴群のサブコンビネーションもまた、発明となり得る。
【発明の効果】
【００２０】
以上の説明から明らかなように、この発明によっては、化成品を製造するのに原料となった廃棄物中のバイオマス系のごみの量を適正に評価することができる。
【図面の簡単な説明】
【００２１】
【図１】一実施形態に係るバイオマス量評価装置１１０のブロック構成の一例を示す図である。
【図２】バイオマス量評価装置１１０の動作フローの一例を示す図である。
【図３】本実施形態に係るバイオマス量評価装置１１０を構成するコンピュータ８００のハードウェア構成の一例を示す図である。
【発明を実施するための形態】
【００２２】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２３】
廃棄物からエタノールを製造する製造工程は、廃棄物からガスを得る第１の工程と、第１の工程において得られたガスを原料として触媒を用い化学物質に合成する第２の工程とを含む。ここで、廃棄物は、例えば、紙屑、木屑、下水汚泥、繊維屑、剪定枝、動植物残渣、動植物油、肉骨粉、廃棄物固形燃料、糞尿、木質チップ、有機性汚泥等の生物資源由来の廃棄物と、プラスチック等の石油由来の廃棄物とに大別することができる。なお、エタノールは、この発明における「化成品」の一例であってよい。
【００２４】
第１の工程は、高温場において熱分解と化学反応によって、廃棄物を、一酸化炭素と水素とを含むガス状態に変換するプロセスである。ここで、高温場としては、例えば、熱分解炉、溶融炉等が挙げられる。第１の工程においては、廃棄物が完全にガス状態に変換されずに、残渣が排出されることがある。また、第１の工程においては、助燃剤が使用されることもある。ここで、助燃剤としては、例えば、液化石油ガス、軽油、コークス、鉱物油、重油、石炭、天然ガス、灯油、廃食用油等が挙げられる。
【００２５】
第２の工程は、第１の工程において生成されたガスに含まれる一酸化炭素と水素との組成比を調整した合成ガスを、各種の触媒が充填された反応器に導入して、金属触媒下で加熱、又は微生物触媒下で加熱又は冷却して合成反応を行うプロセスである。ここで、エタノールは、金属触媒を用いる場合、高温にて合成反応が行われるため、気体の状態で生成されて、微生物触媒を用いる場合、微生物が死滅しない程度の温度にて合成反応が行われるため、液体の状態で生成される。また、第２の工程においては、エタノールの他に、アセトアルデヒド、酢酸、メタノール、メタン等の様々な副反応生成物が生成される。化成品の主成分としては、エタノールの他に、イソプレン、ブタジエン、酢酸、アセトアルデヒド、炭素６個以下の炭化水素、炭素６個以下の含酸素炭化水素等であってもよい。
【００２６】
図１は、一実施形態に係るバイオマス量評価装置１１０のブロック構成の一例を示す。バイオマス量評価装置１１０は、廃棄物からエタノールを製造するにあたり、廃棄物中のバイオマス系のごみの量を評価する装置である。
【００２７】
バイオマス量評価装置１１０は、化成品中含有率取得部１１１、助燃剤中含有率取得部１１２、バイオマス量評価部１１３、回収対価算出部１１４及び化成品対価算出部１１５を備える。以下の説明においては、各構成要素の機能及び動作を詳述する。
【００２８】
化成品中含有率取得部１１１は、エタノール中の炭素１４の含有率を取得する。ここで、炭素１４は、炭素の放射性同位体である。
【００２９】
助燃剤中含有率取得部１１２は、エタノールの製造工程において、廃棄物からガスを得るにあたり廃棄物に加えられた助燃剤中の炭素の含有率を取得する。ここで、助燃剤として使用される物質が化石燃料系の石油や石炭である場合は必要ない。例えば、助燃剤には、紙屑、木屑、下水汚泥、繊維屑、剪定枝、動植物残渣、動植物油、肉骨粉、廃棄物固形燃料、糞尿、木質チップ、有機性汚泥等のバイオマス系のものが含まれていてもよい。その場合には、その中に含まれる炭素１４の割合を、後述する既知の測定方法によって測定しておく必要がある。
【００３０】
バイオマス量評価部１１３は、化成品中含有率取得部１１１が取得したエタノール中の炭素１４の含有率に基づいて、廃棄物中のバイオマス系のごみの量を評価する。また、例えば、バイオマス量評価部１１３は、助燃剤中含有率取得部１１２が取得した助燃剤中の炭素の含有率に更に基づいて、廃棄物中のバイオマス系のごみの量を評価する。
【００３１】
回収対価算出部１１４は、バイオマス量評価部１１３が評価した廃棄物中のバイオマス系のごみの量に基づいて、廃棄物の回収料金を算出する。なお、回収料金は、この発明における「回収に対する対価」の一例であってよい。
【００３２】
化成品対価算出部１１５は、バイオマス量評価部１１３が評価した廃棄物中のバイオマス系のごみの量に基づいて、エタノールの販売価格を算出する。なお、エタノールの販売価格は、この発明における「エタノールの対価」の一例であってよい。
【００３３】
図２は、バイオマス量評価装置１１０の動作フローの一例を示す。この動作フローの説明においては、廃棄物中のバイオマス系のごみの量を評価する処理について詳述する。なお、この動作フローの説明においては、図１を共に参照する。
【００３４】
エタノール中の炭素１４の量は、ガスプロポーショナルカウンティング、液体シンチレーションカウンティング、加速器質量分析により測ることができる。ガスプロポーショナルカウンティングは、エタノールを二酸化炭素に変え、ガスプロポーショナルカウンタによって炭素１４の濃度を測定する。液体シンチレーションカウンティングは、液体に調製されたエタノールにシンチレーターと呼ばれる光を発生する物質が加えられる。シンチレーターは、ベータ粒子が入ると光る。エタノールは、２つの光電子増倍管の間に置かれ両方の光電子増倍管に光が記録された時のみカウントされる。加速器質量分析法では、炭素１４の炭素１２、炭素１３に対する比が直接測定される。ただし、測定方法を比較した場合、液体シンチレーションカウンタは、その操作性や補正が簡便であり、精度が高いという利点を有し、測定方法としてより好ましい。
【００３５】
バイオマス量評価装置１１０の化成品中含有率取得部１１１は、このようにして得られたエタノール中の炭素１４の含有率を取得する（Ｓ１０１）。例えば、化成品中含有率取得部１１１は、ガスプロポーショナルカウンタや液体シンチレーションカウンタ、加速器質量分析装置から出力されたデータの入力を受け付けることにより、エタノール中の炭素１４の含有率を取得する。また、例えば、化成品中含有率取得部１１１は、バイオマス量評価装置１１０の入力装置を介して、エタノール中の炭素１４の含有率を取得する。ここで、入力装置は、バイオマス量評価装置１１０にデータや情報、指示等を与えるための装置である。そして、化成品中含有率取得部１１１は、このようにしてエタノール中の炭素１４の含有率を取得すると、その値を示すデータを、バイオマス量評価部１１３へ送る。
【００３６】
一方、エタノールの製造工程において、廃棄物からガスを得るにあたり廃棄物に加えられた助燃剤中の炭素の含有率は、助燃剤の組成に基づいて算出することができる。
【００３７】
バイオマス量評価装置１１０の助燃剤中含有率取得部１１２は、このようにして得られた助燃剤中の炭素の含有率を取得する（Ｓ１０２）。例えば、助燃剤中含有率取得部１１２は、バイオマス量評価装置１１０の入力装置を介して、助燃剤中の炭素の含有率を取得する。そして、助燃剤中含有率取得部１１２は、このようにして助燃剤中の炭素の含有率を取得すると、その値を示すデータを、バイオマス量評価部１１３へ送る。
【００３８】
バイオマス量評価装置１１０のバイオマス量評価部１１３は、化成品中含有率取得部１１１から送られたデータと、助燃剤中含有率取得部１１２から送られたデータとをそれぞれ受け取ると、化成品中含有率取得部１１１から受け取ったデータによって示されるエタノール中の炭素１４の含有率と、助燃剤中含有率取得部１１２から受け取ったデータによって示される助燃剤中の炭素の含有率とに基づいて、廃棄物中のバイオマス系のごみの量を評価する（Ｓ１０３）。例えば、助燃剤中の炭素の含有率をＸ（％）とすると、エタノール中の炭素のうち、廃棄物由来の炭素の含有率は、１００−Ｘ（％）となる。そして、エタノール中の炭素１４の含有率をＹ（％）とすると、廃棄物中の炭素１４の含有率は、Ｙ／（１００−Ｘ）（％）となる。ここで、石油系のごみには、炭素１４は含まれないことから、バイオマス量評価部１１３は、このようにして算出される廃棄物中の炭素１４の含有率を、廃棄物中のバイオマス系のごみの量として評価する。そして、バイオマス量評価部１１３は、このようにして廃棄物中のバイオマス系のごみの量を評価すると、その値を示すデータを、回収対価算出部１１４及び化成品対価算出部１１５へ送る。
【００３９】
バイオマス量評価装置１１０の回収対価算出部１１４は、バイオマス量評価部１１３から送られたデータを受け取ると、そのデータによって示される廃棄物中のバイオマス系のごみの量に基づいて、廃棄物の回収料金を算出する（Ｓ１０４）。例えば、回収対価算出部１１４は、バイオマス系のごみの量を独立変数とし、廃棄物の回収料金を従属変数とする所定の関数を用いて、廃棄物の回収料金を算出する。また、例えば、回収対価算出部１１４は、廃棄物中のバイオマス系のごみの量の情報と、廃棄物の回収料金の情報とが対応付けられて格納されたデータベースを参照して、廃棄物の回収料金を算出する。ここで、回収対価算出部１１４は、廃棄物中のバイオマス系のごみの量が多いほど、廃棄物の回収料金を高く算出することも、低く算出することもある。例えば、バイオマス系のごみを積極的に回収しようとする場合、廃棄物の回収料金は、低く算出される。また、例えば、バイオマス系のごみそのものに価値を見出そうとする場合、廃棄物の回収料金は、高く算出される。なお、場合によっては、助燃剤中の炭素１４の割合を別の変数として組み入れ、算出結果を補正する必要がある。
【００４０】
一方、バイオマス量評価装置１１０の化成品対価算出部１１５は、バイオマス量評価部１１３から送られたデータを受け取ると、そのデータによって示される廃棄物中のバイオマス系のごみの量に基づいて、エタノールの販売価格を算出する（Ｓ１０５）。例えば、化成品対価算出部１１５は、バイオマス系のごみの量を独立変数とし、エタノールの販売価格を従属変数とする所定の関数を用いて、エタノールの販売価格を算出する。また、例えば、化成品対価算出部１１５は、廃棄物中のバイオマス系のごみの量の情報と、エタノールの販売価格の情報とが対応付けられて格納されたデータベースを参照して、エタノールの販売価格を算出する。ここで、化成品対価算出部１１５は、廃棄物中のバイオマス系のごみの量が多いほど、エタノールの販売価格を高く算出することも、安く算出することもある。例えば、バイオマス系のごみの量が多い廃棄物を原料としていることに価値を見出そうとする場合、エタノールの販売価格は、高く算出される。また、例えば、バイオマス系のごみの量が多い廃棄物を原料としているエタノールを積極的に販売しようとする場合、エタノールの販売価格は、低く算出される。なお、場合によっては、助燃剤中の炭素１４の割合を別の変数として組み入れ、算出結果を補正する必要がある。
【００４１】
以上、説明したように、バイオマス量評価装置１１０は、エタノール中の炭素１４の含有率を取得する。そして、バイオマス量評価装置１１０は、取得したエタノール中の炭素１４の含有率に基づいて、廃棄物中のバイオマス系のごみの量を評価する。
【００４２】
このようにして、バイオマス量評価装置１１０によっては、エタノールを製造するのに原料となった廃棄物中のバイオマス系のごみの量を適正に評価することができる。ただし、様々な清掃工場のスケールを想定した場合、一業者の運び込んだ廃棄物により廃棄物を貯めるピッドが埋まらない状況も考えられる。本発明においては、各業者の持ち込んだ廃棄物中のバイオマス系のごみの量を適正に評価する必要があるため、複数の業者の廃棄物を個別に焼却することも場合によっては必要である。また、焼却してからバイオマス系のごみの量を評価するまでにタイムラグが生じる場合には、それを適正に補正する手段も場合によっては必要である。具体的には、タイムラグを求めるために、試験的に予め廃棄物を投入してから、エタノール等の化成品が流出するまでの時間を測定しておき、その時間を以てタイムラグとする。
【００４３】
また、上述したように、バイオマス量評価装置１１０は、エタノールの製造工程において、廃棄物からガスを得るにあたり廃棄物に加えられた助燃剤中の炭素の含有率を取得する。そして、バイオマス量評価装置１１０は、取得した助燃剤中の炭素の含有率に更に基づいて、廃棄物中のバイオマス系のごみの量を評価する。
【００４４】
このようにして、バイオマス量評価装置１１０によっては、廃棄物から製造されたエタノール中の炭素の中に、廃棄物からガスを得るにあたり廃棄物に加えられた助燃剤由来の炭素が混入していても、エタノールを製造するのに原料となった廃棄物中のバイオマス系のごみの量を適正に評価することができる。
【００４５】
また、上述したように、バイオマス量評価装置１１０は、評価した廃棄物中のバイオマス系のごみの量に基づいて、廃棄物の回収料金を算出する。
【００４６】
このようにして、バイオマス量評価装置１１０によっては、エタノールを製造するための原料となる廃棄物を回収するにあたり、その目的に応じて、適切な回収料金を算出することができる。
【００４７】
また、上述したように、バイオマス量評価装置１１０は、評価した廃棄物中のバイオマス系のごみの量に基づいて、エタノールの販売価格を算出する。
【００４８】
このようにして、バイオマス量評価装置１１０によっては、廃棄物から製造されたエタノールを販売するにあたり、その目的に応じて、適切な販売価格を算出することができる。
【００４９】
図３は、本実施形態に係るバイオマス量評価装置１１０を構成するコンピュータ８００のハードウェア構成の一例を示す。本実施形態に係るコンピュータ８００は、ホストコントローラ８０１により相互に接続されるＣＰＵ（Ｃｅｎｔｒａｌ  Ｐｒｏｃｅｓｓｉｎｇ  Ｕｎｉｔ）８０２、ＲＡＭ（Ｒａｎｄｏｍ  Ａｃｃｅｓｓ  Ｍｅｍｏｒｙ）８０３、グラフィックコントローラ８０４及びディスプレイ８０５を有するＣＰＵ周辺部と、入出力コントローラ８０６により相互に接続される通信インターフェース８０７、ハードディスクドライブ８０８及びＣＤ−ＲＯＭ（Ｃｏｍｐａｃｔ  Ｄｉｓｋ  Ｒｅａｄ  Ｏｎｌｙ  Ｍｅｍｏｒｙ）ドライブ８０９を有する入出力部と、入出力コントローラ８０６に接続されるＲＯＭ（Ｒｅａｄ  Ｏｎｌｙ  Ｍｅｍｏｒｙ）８１０、フレキシブルディスクドライブ８１１及び入出力チップ８１２を有するレガシー入出力部とを備える。
【００５０】
ホストコントローラ８０１は、ＲＡＭ８０３と、高い転送レートでＲＡＭ８０３をアクセスするＣＰＵ８０２及びグラフィックコントローラ８０４とを接続する。ＣＰＵ８０２は、ＲＯＭ８１０及びＲＡＭ８０３に格納されたプログラムに基づいて動作し、各部の制御を行う。グラフィックコントローラ８０４は、ＣＰＵ８０２等がＲＡＭ８０３内に設けたフレームバッファ上に生成する画像データを取得し、ディスプレイ８０５上に表示させる。これに代えて、グラフィックコントローラ８０４は、ＣＰＵ８０２等が生成する画像データを格納するフレームバッファを、内部に含んでもよい。
【００５１】
入出力コントローラ８０６は、ホストコントローラ８０１と、比較的高速な入出力装置である通信インターフェース８０７、ハードディスクドライブ８０８及びＣＤ−ＲＯＭドライブ８０９を接続する。ハードディスクドライブ８０８は、コンピュータ８００内のＣＰＵ８０２が使用するプログラム及びデータを格納する。ＣＤ−ＲＯＭドライブ８０９は、ＣＤ−ＲＯＭ８９２からプログラム又はデータを読み取り、ＲＡＭ８０３を介してハードディスクドライブ８０８に提供する。
【００５２】
また、入出力コントローラ８０６には、ＲＯＭ８１０と、フレキシブルディスクドライブ８１１及び入出力チップ８１２の比較的低速な入出力装置とが接続される。ＲＯＭ８１０は、コンピュータ８００が起動時に実行するブートプログラム、及び／又はコンピュータ８００のハードウェアに依存するプログラム等を格納する。フレキシブルディスクドライブ８１１は、フレキシブルディスク８９３からプログラム又はデータを読み取り、ＲＡＭ８０３を介してハードディスクドライブ８０８に提供する。入出力チップ８１２は、フレキシブルディスクドライブ８１１を入出力コントローラ８０６へと接続すると共に、例えばパラレルポート、シリアルポート、キーボードポート、マウスポート等を介して各種の入出力装置を入出力コントローラ８０６へと接続する。
【００５３】
ＲＡＭ８０３を介してハードディスクドライブ８０８に提供されるプログラムは、フレキシブルディスク８９３、ＣＤ−ＲＯＭ８９２又はＩＣ（Ｉｎｔｅｇｒａｔｅｄ  Ｃｉｒｃｕｉｔ）カード等の記録媒体に格納されて利用者によって提供される。プログラムは、記録媒体から読み出され、ＲＡＭ８０３を介してコンピュータ８００内のハードディスクドライブ８０８にインストールされ、ＣＰＵ８０２において実行される。
【００５４】
コンピュータ８００にインストールされ、コンピュータ８００をバイオマス量評価装置１１０として機能させるプログラムは、コンピュータ８００を、ステップＳ１０１において、エタノール中の炭素１４の含有率を取得する化成品中含有率取得部１１１と、化成品中含有率取得部１１１が取得したエタノール中の炭素１４の含有率に基づいて、ステップＳ１０３において、廃棄物中のバイオマス系のごみの量を評価するバイオマス量評価部１１３として機能させる。
【００５５】
更に、当該プログラムは、コンピュータ８００を、ステップＳ１０２において、エタノールの製造工程において、廃棄物からガスを得るにあたり廃棄物に加えられた助燃剤中の炭素の含有率を取得する助燃剤中含有率取得部１１２と、助燃剤中含有率取得部１１２が取得した助燃剤中の炭素の含有率に更に基づいて、ステップＳ１０３において、廃棄物中のバイオマス系のごみの量を評価するバイオマス量評価部１１３として機能させてもよい。
【００５６】
更に、当該プログラムは、コンピュータ８００を、バイオマス量評価部１１３が評価した廃棄物中のバイオマス系のごみの量に基づいて、ステップＳ１０４において、廃棄物の回収料金を算出する回収対価算出部１１４として機能させてもよい。
【００５７】
更に、当該プログラムは、コンピュータ８００を、バイオマス量評価部１１３が評価した廃棄物中のバイオマス系のごみの量に基づいて、エタノールの販売価格を算出する化成品対価算出部１１５として機能させてもよい。
【００５８】
これらのプログラムに記述された情報処理は、コンピュータ８００に読み込まれることにより、ソフトウェアと上述した各種のハードウェア資源とが協働した具体的手段である化成品中含有率取得部１１１、助燃剤中含有率取得部１１２、バイオマス量評価部１１３、回収対価算出部１１４及び化成品対価算出部１１５として機能する。そして、これらの具体的手段によって、本実施形態におけるコンピュータ８００の使用目的に応じた情報の演算又は加工を実現することにより、使用目的に応じた特有のバイオマス量評価装置１１０が構築される。
【００５９】
一例として、コンピュータ８００と外部の装置等との間で通信を行う場合には、ＣＰＵ８０２は、ＲＡＭ８０３上にロードされた通信プログラムを実行し、通信プログラムに記述された処理内容に基づいて、通信インターフェース８０７に対して通信処理を指示する。通信インターフェース８０７は、ＣＰＵ８０２の制御を受けて、ＲＡＭ８０３、ハードディスクドライブ８０８、フレキシブルディスク８９３又はＣＤ−ＲＯＭ８９２等の記憶装置上に設けた送信バッファ領域等に記憶された送信データを読み出してネットワークへと送信し、もしくは、ネットワークから受信した受信データを記憶装置上に設けた受信バッファ領域等へと書き込む。このように、通信インターフェース８０７は、ダイレクトメモリアクセス方式により記憶装置との間で送受信データを転送してもよく、これに代えて、ＣＰＵ８０２が転送元の記憶装置又は通信インターフェース８０７からデータを読み出し、転送先の通信インターフェース８０７又は記憶装置へとデータを書き込むことにより送受信データを転送してもよい。
【００６０】
また、ＣＰＵ８０２は、ハードディスクドライブ８０８、ＣＤ−ＲＯＭ８９２、フレキシブルディスク８９３等の外部記憶装置に格納されたファイル又はデータベース等の中から、全部又は必要な部分をダイレクトメモリアクセス転送等によりＲＡＭ８０３へと読み込ませ、ＲＡＭ８０３上のデータに対して各種の処理を行う。そして、ＣＰＵ８０２は、処理を終えたデータを、ダイレクトメモリアクセス転送等により外部記憶装置へと書き戻す。
【００６１】
このような処理において、ＲＡＭ８０３は、外部記憶装置の内容を一時的に保持するものとみなせるから、本実施形態においてはＲＡＭ８０３及び外部記憶装置等をメモリ、記憶部又は記憶装置等と総称する。本実施形態における各種のプログラム、データ、テーブル、データベース等の各種の情報は、このような記憶装置上に格納されて、情報処理の対象となる。なお、ＣＰＵ８０２は、ＲＡＭ８０３の一部をキャッシュメモリに保持し、キャッシュメモリ上で読み書きを行うこともできる。このような形態においても、キャッシュメモリはＲＡＭ８０３の機能の一部を担うから、本実施形態においては、区別して示す場合を除き、キャッシュメモリもＲＡＭ８０３、メモリ及び／又は記憶装置に含まれるものとする。
【００６２】
また、ＣＰＵ８０２は、ＲＡＭ８０３から読み出したデータに対して、プログラムの命令列により指定された、本実施形態中に記載した各種の演算、情報の加工、条件判断、情報の検索、置換等を含む各種の処理を行い、ＲＡＭ８０３へと書き戻す。例えば、ＣＰＵ８０２は、条件判断を行う場合においては、本実施形態において示した各種の変数が、他の変数又は定数と比較して、大きい、小さい、以上、以下又は等しい等の条件を満たすかどうかを判断し、条件が成立した場合、又は不成立であった場合に、異なる命令列へと分岐し、又はサブルーチンを呼び出す。
【００６３】
また、ＣＰＵ８０２は、記憶装置内のファイル又はデータベース等に格納された情報を検索することができる。例えば、第１属性の属性値に対し第２属性の属性値がそれぞれ対応付けられた複数のエントリが記憶装置に格納されている場合において、ＣＰＵ８０２は、記憶装置に格納されている複数のエントリの中から第１属性の属性値が指定された条件と一致するエントリを検索し、そのエントリに格納されている第２属性の属性値を読み出すことにより、所定の条件を満たす第１属性に対応付けられた第２属性の属性値を得ることができる。
【００６４】
以上に示したプログラム又はモジュールは、外部の記憶媒体に格納されてもよい。記憶媒体としては、フレキシブルディスク８９３、ＣＤ−ＲＯＭ８９２の他に、ＤＶＤ（Ｄｉｇｉｔａｌ  Ｖｅｒｓａｔｉｌｅ  Ｄｉｓｋ）又はＣＤ（Ｃｏｍｐａｃｔ  Ｄｉｓｋ）等の光学記録媒体、ＭＯ（Ｍａｇｎｅｔｏ−Ｏｐｔｉｃａｌ  ｄｉｓｋ）等の光磁気記録媒体、テープ媒体、ＩＣカード等の半導体メモリ等を用いることができる。また、専用通信ネットワーク又はインターネットに接続されたサーバシステムに設けたハードディスク又はＲＡＭ等の記憶媒体を記録媒体として使用して、ネットワークを介してプログラムをコンピュータ８００に提供してもよい。
【００６５】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００６６】
特許請求の範囲、明細書及び図面中において示したシステム、方法、装置、プログラム及び記録媒体における動作、手順、ステップ及び段階等の各処理の実行順序は、特段「より前に」、「先立って」等と明示しておらず、また、前の処理の出力を後の処理で用いるのでない限り、任意の順序で実現し得ることに留意すべきである。特許請求の範囲、明細書及び図面中の動作フローに関して、便宜上「まず、」、「次に、」等を用いて説明したとしても、この順で実施することが必須であることを意味するものではない。
【符号の説明】
【００６７】
１１０  バイオマス量評価装置
１１１  化成品中含有率取得部
１１２  助燃剤中含有率取得部
１１３  バイオマス量評価部
１１４  回収対価算出部
１１５  化成品対価算出部
８００  コンピュータ
８０１  ホストコントローラ
８０２  ＣＰＵ
８０３  ＲＡＭ
８０４  グラフィックコントローラ
８０５  ディスプレイ
８０６  入出力コントローラ
８０７  通信インターフェース
８０８  ハードディスクドライブ
８０９  ＣＤ−ＲＯＭドライブ
８１０  ＲＯＭ
８１１  フレキシブルディスクドライブ
８１２  入出力チップ
８９２  ＣＤ−ＲＯＭ
８９３  フレキシブルディスク
【図１】
2014166622.tif 000003
【図２】
2014166622.tif 000004
【図３】
2014166622.tif 000005